(57)【要約】      （修正有）【課題】感電や漏電を防ぐことができる配線用差込接続器を提供する。【解決手段】内部にピンと導電弾性チップとを設けたケース１０を含んでなり、ピン１１の上に被覆するように保護手段２０を設けてなり、該保護手段２０が外ケース２１を具えてなり、該外ケース２１は、回動自在な接続ブロック２２と、該接続ブロック２２を位置決めするバネ２３とを含んでなり、差込ヘッドのピンをケース１０に挿入する場合、接続ブロック２２が作動して導電弾性チップ１２と差込ヘッドのピンとが導電して電気を供給する構造からなる。【選択図】図１
0003151545.tif 000002
【実用新案登録請求の範囲】
【請求項１】
内部にピンと導電弾性チップとを設けたケースを含んでなり、
該ピンの上に被覆するように保護手段を設けてなり、該保護手段が外ケースを具えてなり、該外ケースは、回動自在な接続ブロックと、接続ブロックを位置決めするバネとを含んでなり、差込ヘッドのピンをケースに挿入する場合、接続ブロックが作動して導電弾性チップと差込ヘッドのピンとが導電して電気を供給する構造からなることを特徴とする配線用差込接続器。
【請求項２】
前記保護手段の外ケースの前端面が容器槽を開設し、導電材質からなる接続ブロックは容器槽内部に設けられ、後端が導電弾性チップに隣接し、前端が外側に突出し、ケース上の挿入孔に隣接し、下端に設けられた軸が外ケースの側壁に開設された滑動溝に合わせて設け、上端が容器槽後部に設けられたバネに合わせて設けられ、差込ヘッドのピンをケースに挿入する場合、接続ブロックが導電弾性チップに接触するように押し動かされ導電弾性チップと差込ヘッドのピンとが導電する構造からなることを特徴とする請求項１に記載の配線用差込接続器。
【請求項３】
前記容器槽が前端上部に接続ブロックの回転角度を制限する位置決め桿を設けてなることを特徴とする請求項２に記載の配線用差込接続器。
【請求項４】
前記保護手段の外ケースが、前端面に容器槽を開設し、接続ブロックが該容器槽内部に設けられ、該容器槽の底部には導電ベースが設けられ、該導電ベースが挿入孔に対応して設けられた弾性チップと互いに接続し、接続ブロックが絶縁部と導電部から形成され、該絶縁部がケースのアース栓か、或いはヌル線の挿入孔に隣接し、上端縁部が容器槽後方のバネに合わせて設けられ、導電部が導電弾性チップに隣接し、下端が導電ベースの回転に合わせて動き、差込ヘッドのアース線か、或いはヌル線のピンがケースに挿入されると、接続ブロックの導電部と導電弾性チップとが接触し、導電弾性チップと差込ヘッドのピンとが導電される構造からなることを特徴とする請求項１に記載の配線用差込接続器。
【請求項５】
前記接続ブロックの絶縁部が、プラスチック製のブロックであって、導電部が銅製からなることを特徴とする請求項４に記載の配線用差込接続器。
【請求項６】
前記接続ブロックが、絶縁部と導電部を粘着して形成され、両者が粘着接続された面が楔形になることを特徴とする請求項５に記載の配線用差込接続器。
【考案の詳細な説明】
【技術分野】
【０００１】
この考案は、配線用差込接続器に関し、特に電源を供給するために電気製品のコネクタ部分を挿入する配線用差込接続器に関する。
【背景技術】
【０００２】
従来の配線用差込接続器は、その電源孔がいずれもケース外部に露出している。
【０００３】
よって、コネクタヘッドのピンを挿入していない場合、金属の物体、或いは他の導体が挿入孔内部の金属弾性チップに不注意で接触すると、感電、或いは漏電が発生し易く、安全性に問題があった。
【０００４】
前述の問題を解決するため、接続器に改良が加えられた。
【０００５】
例えば、電源孔の前に回動自在の当接板を儲け、コネクタヘッドを接続する場合、コネクタヘッドのピンで当接板を押し開き、ピンを電源孔に挿入する。
【０００６】
コネクタヘッドのピンを外すと、当接板が重みで自動的に移動して電源孔が塞がれる。
【０００７】
上述の配線用差込接続器は、差込接続器の安全性を高めたが、頻繁に使用する過程において、回動自在の当接板が自動的に動かないなどの故障が発生する。
【０００８】
よって、電源孔が露出した状態になり、金属製の物質が電源孔内に挿入されると感電、或いは漏電するため、接続器の安全性の問題を完全に解決することができない。
【考案の概要】
【考案が解決しようとする課題】
【０００９】
この考案は、感電や漏電を防ぐことができる配線用差込接続器を提供することを課題とする。
【課題を解決するための手段】
【００１０】
そこで、本考案者は従来の技術に見られる欠点に鑑みて鋭意研究を重ねた結果、内部にピンと導電弾性チップとを設けたケースを含んでなり、該ピンの上に被覆するように保護手段を設けてなり、該保護手段が外ケースを具えてなり、該外ケースは、回動自在な接続ブロックと、接続ブロックを位置決めするバネとを含んでなり、差込ヘッドのピンをケースに挿入する場合、接続ブロックが作動して導電弾性チップと差込ヘッドのピンとが導電して電気を供給する構造からなる配線用差込接続器によって課題を解決できる点に着眼し、かかる知見に基づいて本考案を完成させた。
【００１１】
以下、この考案について具体的に説明する。
請求項１に記載の配線用差込接続器は、内部にピンと導電弾性チップとを設けたケースを含んでなり、
該ピンの上に被覆するように保護手段を設けてなり、該保護手段が外ケースを具えてなり、該外ケースは、回動自在な接続ブロックと、接続ブロックを位置決めするバネとを含んでなり、差込ヘッドのピンをケースに挿入する場合、接続ブロックが作動して導電弾性チップと差込ヘッドのピンとが導電して電気を供給する構造からなる。
【００１２】
請求項２に記載の配線用差込接続器は、請求項１における保護手段の外ケースの前端面が容器槽を開設し、導電材質からなる接続ブロックは容器槽内部に設けられ、後端が導電弾性チップに隣接し、前端が外側に突出し、ケース上の挿入孔に隣接し、下端に設けられた軸が外ケースの側壁に開設された滑動溝に合わせて設け、上端が容器槽後部に設けられたバネに合わせて設けられ、差込ヘッドのピンをケースに挿入する場合、接続ブロックが導電弾性チップに接触するように押し動かされ導電弾性チップと差込ヘッドのピンとが導電する構造からなる。
【００１３】
請求項３に記載の配線用差込接続器は、請求項２における容器槽が前端上部に接続ブロックの回転角度を制限する位置決め桿を設けてなる。
【００１４】
請求項４に記載の配線用差込接続器は、請求項１における保護手段の外ケースが、前端面に容器槽を開設し、接続ブロックが該容器槽内部に設けられ、該容器槽の底部には導電ベースが設けられ、該導電ベースが挿入孔に対応して設けられた弾性チップと互いに接続し、接続ブロックが絶縁部と導電部から形成され、該絶縁部がケースのアース栓か、或いはヌル線の挿入孔に隣接し、上端縁部が容器槽後方のバネに合わせて設けられ、導電部が導電弾性チップに隣接し、下端が導電ベースの回転に合わせて動き、差込ヘッドのアース線か、或いはヌル線のピンがケースに挿入されると、接続ブロックの導電部と導電弾性チップとが接触し、導電弾性チップと差込ヘッドのピンとが導電される構造からなる。
【００１５】
請求項５に記載の配線用差込接続器は、請求項４における接続ブロックの絶縁部が、プラスチック製のブロックであって、導電部が銅製からなる。
【００１６】
請求項６に記載の配線用差込接続器は、請求項５における接続ブロックが、絶縁部と導電部を粘着して形成され、両者が粘着接続された面が楔形になる。
【考案の効果】
【００１７】
この考案による配線差込接続器は、感電、漏電を防ぐため安全性を高めるという効果を有する。
【図面の簡単な説明】
【００１８】
【図１】この考案の配線用差込接続器を示した分解図である。
【図２】この考案の配線用差込接続器に挿入ヘッドを設けた状態を示した平面図である。
【図３】図２に開示した状態をＡ−Ａで切断した場合を示した断面図である。
【図４】この考案の配線用差込接続器の他の実施形態を示した平面図である。
【図５】図４に開示した状態をＢ−Ｂで切断した場合を示した断面図である。
【図６】この考案の配線用差込接続器その他の実施形態を示した平面図である。
【図７】図６に開示する配線用差込接続器のケースに挿入ヘッドを設けた状態を示した平面図である。
【図８】図７に開示する配線用差込接続器をＣ−Ｃで切断した場合を示した断面図である。
【考案を実施するための形態】
【００１９】
この考案は感電や漏電を防ぐことができる配線用差込接続器であって、内部にピンと導電弾性チップとを設けたケースを含んでなり、該ピンの上に被覆するように保護手段を設けてなり、該保護手段が外ケースを具えてなり、該外ケースは、回動自在な接続ブロックと、接続ブロックを位置決めするバネとを含んでなり、差込ヘッドのピンをケースに挿入する場合、接続ブロックが作動して導電弾性チップと差込ヘッドのピンとが導電して電気を供給する構造からなるとを含んでなる配線用差込接続器の構造と特徴を詳述するために具体的な実施例を挙げ、図示を参照にして以下に説明する。
【実施例】
【００２０】
図１から図３に開示するように、この考案の配線用差込接続器は、矩形のケース１０と、該ケース１０内に設けられたピン１１及び導電弾性チップ１２と、ピンの上に被覆するように設ける保護手段２０とを含んでなる。
【００２１】
該保護手段は、外ケース２１と、該外ケース２１の前端面に開設された容器槽２１１と、該容器槽２１の内部に設けられ、その後端に隣接して設けられた導電弾性チップ１２と、その前端に外側に向けて突出し、ケース１０上の挿入孔１０１に隣接した銅製の接続ブロック２２とを含んでなる。
【００２２】
該接続ブロック２２の下端に設けられた軸２２１は、外ケース２１の側壁に開設された滑動溝２１２上に合わせると、上端が容器槽２１１後部に設けられたバネ２３に合わせて設けられる。
【００２３】
また、容器槽２１１の前端上部には接続ブロック２２の回転角度を制限する位置決め桿２１３が設けられる。
【００２４】
差込ヘッド３０のピン３１は、挿入孔１０１からケース１０に挿入する場合、ピン３１が接続ブロック２２の前端中部の突起に接触した後、接続部ロック２２を回転するように押し動かして導電弾性チップ１２に接触し、導電弾性チップ１２と差込ヘッド３０のピン３１に導電して電気を供給する。
【００２５】
差込ヘッド３０を配線用差込接続器から外す場合、接続ブロック２２がバネ２３の作用で反対方向に回転し、接続ブロック２２と導電チップ１２とが分離する。
【００２６】
上述の構造により、金属の物体か、或いはその他導電性の物質が不注意で挿入孔１０１に挿入されても一定の力が働かなければ接続ブロック２２が回転するように押し動かされないため導電されない。
【００２７】
よって、配線用差込接続器の安全性を大幅に高めることができる。
【００２８】
図４から図７は、この考案の他の実施形態を示したものである。
【００２９】
図面によれば、この実施形態が上述の実施形態と異なる点は、保護手段２０のケース２１の容器槽２１１の底部に導電ベース２４を設けてなる。
【００３０】
該導電ベース２４は挿入孔の位置に対応して設けられた弾性チップ２５と互いに接続する。
【００３１】
該接続ブロック２２は、プラスチック製の絶縁部２６と銅製の導電部２７とが互いに粘着して形成し、両者を粘着接続した面は楔形に形成される。
【００３２】
絶縁部２６は、ケース１０のアース線の挿入孔１０２（ヌル線の挿入孔でもよい）に隣接する。
【００３３】
その上端縁部が容器槽２１１の後方に設けられたバネ２３に合わせて設けられ、バネ２３の上部がアース線の挿入孔１０２の内側の凸縁部１０３上方に位置する。
【００３４】
導電部２７は、導電弾性チップ１２に隣接し、その下端縁部が回転軸２７１を介して導電ベース２４と回動自在に接続する。
【００３５】
差込ヘッド３０のアース線のピン３２は、挿入孔１０２からケース１０の内部に挿入する場合、該ピン３２が接続ブロック２２を回転するように押し動かして導電部２７と導電弾性チップ１２とに接触し、導電弾性チップ１２と差込ヘッド３０のピン３１に導電して電気を供給する。
【００３６】
差込ヘッド３０は、配線用差込接続器から外す場合、接続ブロック２２がバネ２３の作用で反対方向に回転し、接続ブロック２２と導電弾性チップ１２とが分離して外すことができる。
【００３７】
この考案のケース内のピンの上方には保護手段が設けられる。
【００３８】
よって、金属の物体か、或いはその他導電性の物体が不注意で挿入孔内部に挿入されることがないため、感電、漏電を防ぐことができる。
【００３９】
また、差込ヘッドのピンに適宜な力を加えて挿入孔に挿入でき、導電弾性チップと差込ヘッドのピンとを導電することができるため、安全性を高めることができる。
【００４０】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００４１】
１０        ケース
１０１      挿入孔
１０２      挿入孔
１０３      凸縁部
１１        ピン
１２        導電弾性チップ
２０        保護手段
２１        外ケース
２１１      容器槽
２１２      滑動溝
２１３      位置決め桿
２２        接続ブロック
２２１      軸
２３        バネ
２４        導電ベース
２５        弾性チップ
２６        絶縁部
２７        導電部
２７１      回転軸
３０        差込ヘッド
３１        ピン
３２        ピン
【図１】
0003151545.tif 000003
【図２】
0003151545.tif 000004
【図３】
0003151545.tif 000005
【図４】
0003151545.tif 000006
【図５】
0003151545.tif 000007
【図６】
0003151545.tif 000008
【図７】
0003151545.tif 000009
【図８】
0003151545.tif 000010